(57)【要約】【課題】軽量かつコンパクトで、効率的に加湿でき、騒音が少ない加湿器を提供することを目的とする。【解決手段】水槽部６と、この水槽部６に一定量の水を供給する給水用水タンク３と、室内の乾燥した空気を取り入れる吸い込み口１０と、室内に湿った空気を送る吹き出し口８と、両口１０、８間を連絡する風路中に配設された送風機９と、小穴７Ａの明いた吸水性の良いシート状の素材７Ｄをプリーツ折りして形成され下端部を水槽部内の水に浸漬した気化フィルター７と、風路方向が開口していて風路方向に平行な上下左右が平板で構成されたフィルターケース１１とを備え、送風機９によって吸い込み口１０から吸込まれた室内の乾燥した空気を水槽部６の水により湿潤したフィルターケース１１に収納された気化フィルター７を通過させ、吹き出し口８から吹き出すようにした加湿器において、前記フィルターケース１１の左右に切欠き部１２を設け、この切欠き部１２で気化フィルター７の端部を露出させた。【選択図】  図１
2004293936.tif 000002
【特許請求の範囲】
【請求項１】
水槽部（６）と、この水槽部（６）に一定量の水を供給する給水用水タンク（３）と、室内の乾燥した空気を取り入れる吸い込み口（１０）と、室内に湿った空気を送る吹き出し口（８）と、両口（１０）、（８）間を連絡する風路中に配設された送風機（９）と、小穴（７Ａ）の明いた吸水性の良いシート状の素材（７Ｄ）をプリーツ折りして形成され下端部を水槽部（６）内の水に浸漬した気化フィルター（７）と、風路方向が開口していて風路方向に平行な上下左右が平板で構成されたフィルターケース（１１）とを備え、送風機（９）によって吸い込み口（１０）から吸込まれた室内の乾燥した空気を水槽部（６）の水により湿潤したフィルターケース（１１）に収納された気化フィルター（７）を通過させ、吹き出し口（８）から吹き出すようにした加湿器において、前記フィルターケース（１１）の左右に切欠き部（１２）を設け、この切欠き部（１２）で気化フィルター（７）の端部を露出させたことを特徴とする加湿器。
【発明の詳細な説明】
【０００１】
【発明の属する技術分野】
本発明は、気化式の加湿器に関するものである。
【０００２】
【従来の技術】
従来のこの種の気化式の加湿器は、例えば図５に示すような構造のものが一般に知られている。
【０００３】
すなわち、２１は横長箱型の加湿器本体、２２は本体２１内の下部に設けられた水槽で、カートリッジ式の給水用水タンク２３等によって給水される。
【０００４】
２４は加湿ドラムで、外周にウレタンフォーム（発泡体）円筒状の加湿フィルター２５を装着し、一方を閉じた閉止部２６とし、他方を開口部２７とし、中心軸２８で本体２１に回転軸としてささえられ、加湿フィルター２５の下部を水槽２２の水面下に浸漬させている。
【０００５】
２９はギヤモーターで、加湿ドラム２４を回転させる駆動軸を有し、加湿ドラム２４の中心軸２８を回転させる。
【０００６】
３０は本体２１内に配設された送風機で、水槽２２内の加湿ドラム２４の開口部２７から内部に送風する。
【０００７】
３１は中心軸２８に取付けられた風向体で、加湿フィルター２５の表面から出る空気の風速が弱まる点から閉止部２６まで加湿ドラム２４のほぼ内径に沿うように円錐状に形成されている。
【０００８】
その動作は、まず、給水用水タンク２３から水槽２２に水が供給され、水槽２２内の水は一定の水位に保たれ、その水位に浸るように加湿ドラム２４が回転し、周囲に取付けた加湿フィルター２５は発泡体であるため、その空泡部に水滴が付着したり、膜ができたりして水を含んだ状態となる。
【０００９】
次に、送風機３０を駆動して加湿ドラム２４の開口部２７から内部に送風すると、空気は加湿フィルター２５を通過して外部に吹き出される。
【００１０】
加湿ドラム２４の中を空気が通過すると、加湿フィルター２５内の水滴や膜が壊れ加湿しなくなるが、加湿フィルター２５は加湿ドラム２４の回転により再び水を含んだ状態となる。
【００１１】
したがって、加湿ドラム２４の内部に送風された空気は風向体３１に沿って加湿フィルター２５を通過し、加湿フィルター２５の表面から湿った空気が吹き出され、これが室内に放出されて室内を加湿する（例えば特許文献１参照）。
【００１２】
しかしながら、上記の従来技術において、加湿フィルター２５は、ウレタンを発泡させ、その発泡で出来た空泡部を利用して加湿フィルター２５を一度水没させることにより空泡に水滴を保持したり、膜を作り、この状態の中に風を通すことにより、風は水滴を破壊したり膜を破って風を湿潤させているものであった。
【００１３】
このため、風が一度通過するとその後の風は素通りして加湿効率が悪くなるため、所定の加湿量を確保するには、本体２１を大きくし、加湿フィルター２５を大きくするとともに風の量を増す等の対応をする必要があった。
【００１４】
ところで、近年では軽量で、かつコンパクト化が要求されており、図２、図６、図７、図８に示すような構成のものが提案されている。
【００１５】
図６は従来の加湿器の構成を示す断面図である。図２は同じく側面断面図である。図７は同じくフィルターケースに収納された状態の気化フィルターの斜視図である。図８は同じくフィルターケースに収納された状態の気化フィルターに流れる空気の流れを説明する平面断面図である。
【００１６】
図において、１は本体、２はこの本体１内の下部に配設された水槽、６は水槽２の横に並べて配設された水槽部で、両者は樹脂で一体に成形され、ともに底部で連なって同一レベルの水を貯水している。
【００１７】
１０は室内の乾燥した空気を本体１内に取り入れる吸い込み口で、本体１の側面に開口している。
【００１８】
８は室内に湿った空気を送る吹き出し口で、本体１の上面に開口している。
【００１９】
９は吸い込み口１０と吹き出し口８間を連絡する風路中に配設された送風機で、この出口側には、気化フィルター７がフィルターケース１１に収納されて配設され、その下部は水槽部６内の水に浸漬されている。
【００２０】
気化フィルター７は図７の斜視図、図８の平面断面図に示すように、全面に小穴７Ａの明いた吸水性の良いシート状の素材７Ｄをプリーツ折りした横長方形に形成され、このプリーツ折りして重なった部分が適度の隙間を保つようにしてフィルターケース１１に収納されている。
【００２１】
気化フィルター７を収納しているフィルターケース１１は、風路方向に空気を通過させるため開口していて、風路方向に平行な上下左右は気化フィルター７を保持するため、容易に変形しない強度を有する所定の厚さの平板で構成されている。
【００２２】
４は送風機９の出口側近傍に配設され、空気を加熱するヒーターであり、５はこのヒーター４を収納する支持枠で、図１および図６において上下面が開口しているものである。
【００２３】
上記の構成による動作を以下説明する。
【００２４】
加湿器を運転する際には、給水用水タンク３に水を入れ、水槽２に設置することにより水槽部６には一定水量の水が流れ出し、気化フィルター７の下部を水没させ、この水を吸い上げることにより気化フィルター７は湿潤する。
【００２５】
このような状態で送風機９を駆動すると、吸い込み口１０から取り入れられた室内の乾燥した空気は、送風機９の出口側に配設されたヒーター４により加熱される。
【００２６】
次に、加熱された空気は、下部を水槽部６の水に水没させることで湿潤した気化フィルター７を図８に示す空気の流れの様に通過し、気化フィルター７の吸水した水を蒸発させて吹き出し口８へ吹き込まれ、該吹き出し口８から室内に放出され室内を加湿することとなる。
【００２７】
【特許文献１】
実開昭５６−２１１３８号公報
【００２８】
【発明が解決しようとする課題】
しかしながら、上記の従来技術において、後者に示すものは、気化フィルター７を収納するフィルターケース１１は、風路方向に平行な上下左右に気化フィルター７を保持するための所定の厚さの平板で構成されているため、気化フィルター７の上下左右の端部のフィルターケース１１の平板に近接する部分は、空気が平板との摩擦により風速が低下してしまい、該近接部分へ空気が届き難くなり、そのため該近接部分の水の蒸発は少ないものであった。
【００２９】
そこで、所定の加湿量を確保するためには、送風機９の回転数を増して空気量を増加させる対応が必要となることから、送風機９から発生する騒音が大きくなるという問題点があった。
【００３０】
【課題を解決するための手段】
本発明は上記の問題点を解決するためになされたものであり、水槽部と、この水槽部に一定量の水を供給する給水用水タンクと、室内の乾燥した空気を取り入れる吸い込み口と、室内に湿った空気を送る吹き出し口と、両口間を連絡する風路中に配設された送風機と、小穴の明いた吸水性の良いシート状の素材をプリーツ折りして形成され下端部を水槽部内の水に浸漬した気化フィルターと、風路方向が開口していて風路方向に平行な上下左右が平板で構成されたフィルターケースとを備え、送風機によって吸い込み口から吸込まれた室内の乾燥した空気を水槽部の水により湿潤したフィルターケースに収納された気化フィルターを通過させ、吹き出し口から吹き出すようにした加湿器において、前記フィルターケースの左右に切欠き部を設け、この切欠き部で気化フィルターの端部を露出させたものである。
【００３１】
これによって、気化フィルターの端部がフィルターケースの平板に設けた切欠き部により出来た空間に露出され、この切欠き部に空気が流れ込むことにより気化フィルターの端部に空気が届き易くなって気化フィルターの端部からの水の蒸発が増加し、気化フィルター全体の水の蒸発効率が増加するため、送風機の回転数を低下でき、騒音を低下させることができる。
【００３２】
【発明の実施の形態】
以下本発明の一実施例を図１〜図４を参照して説明する。
【００３３】
図１は、本発明の一実施例の加湿器の構成を示す正面断面図である。図２は同じく側面断面図である。図３は本発明の一実施例のフィルターケースに収納された状態の気化フィルターの斜視図である。図４は同じく平面断面図である。
【００３４】
図１と図２はフィルターケース１１以外は従来例と同じ構成であるため、従来例と同じ構成部分の説明は省略する。
【００３５】
図において、気化フィルター７を収納しているフィルターケース１１は、風路方向に空気を通過させるために開口していて、風路方向に平行な上下左右は気化フィルター７を保持するために、容易に変形しない強度を有する所定の厚さの平板で構成している。そして、図３に示すように風路方向の左右の平板には該風路方向に沿って切欠き部１２を設けてあり、この切欠き部１２で気化フィルター７の左右の端部の一部を露出させているものである。尚この切欠き部１２は風路方向に沿った長孔状に設けても良い。
【００３６】
以上の構成による動作を以下説明する。
【００３７】
送風機９の出口部に設けたヒーター４により加熱された空気は、下部を水槽部６の水に水没させることで湿潤した気化フィルター７に含まれる水を蒸発させながら気化フィルター７を通過する。この時、図７に示す従来のフィルターケース１１では、図８に示す様に気化フィルター７の風路方向の左右のフィルターケース１１に近接した部分においては、空気はフィルターケース１１との摩擦により風速が低下するため、この部分の水の蒸発が低下してしまうため気化フィルター７の全体としての水の蒸発効率は悪いものであった。
【００３８】
ところが、本実施例では、フィルターケース１１の風路方向の左右の平板に切欠き部１２が設けてあるため、図４に示すように、該切欠き部１２により気化フィルター７の左右の端部の一部が切欠き部分１２の空間に露出するので、この部分を通して空気が流れるため、従来例のように気化フィルター７の左右の端部で風速が低下することが無くなる。
【００３９】
そのため、気化フィルター７の切欠き部１２に近接した部分からの水の蒸発が行われるようになり、気化フィルター７全体としての水の蒸発効率の低下はほとんど無い。
【００４０】
したがって、所定の加湿量を確保するために、送風機９の回転数を増しての空気量を増加させる必要が無くなるため、騒音が大きくなるという問題を無くすことができる。
【００４１】
【発明の効果】
以上説明したように、本発明は、気化フィルターを収納するフィルターケースの左右に切欠き部を設け、この切欠き部で気化フィルターの端部を露出させたことにより、気化フィルターの端部に空気が届き易くなって気化フィルターの端部からの水の蒸発が増加し、気化フィルター全体の水の蒸発効率が増加するため、送風機の回転数を低下でき、騒音を低下させることができる。
【図面の簡単な説明】
【図１】本発明の一実施例の加湿器の構成を示す正面断面図である。
【図２】本発明の一実施例および従来例の構成を示す側面断面図である。
【図３】本発明の一実施例のフィルターケースに収納された状態の気化フィルターの斜視図である。
【図４】同じくフィルターケースに収納された状態の気化フィルターに流れる空気の流れを説明する平面断面図である。
【図５】従来の加湿器の構成を示す断面図である。
【図６】同じく正面断面図である。
【図７】従来のフィルターケースに収納された状態の気化フィルターの斜視図である。
【図８】同じくフィルターケースに収納された状態の気化フィルターに流れる空気の流れを説明する平面断面図である。
【符号の説明】
３  給水用水タンク
６  水槽部
７  気化フィルター
８  吹き出し口
９  送風機
１０  吸い込み口
１１  フィルターケース
１２  切欠き部
【図１】
2004293936.tif 000003
【図２】
2004293936.tif 000004
【図３】
2004293936.tif 000005
【図４】
2004293936.tif 000006
【図５】
2004293936.tif 000007
【図６】
2004293936.tif 000008
【図７】
2004293936.tif 000009
【図８】
2004293936.tif 000010